(57)【要約】【課題】多色表示可能な磁気反転ユニットを提供すること。【解決手段】磁気反転ユニット１０は、回動可能に支持される永久磁石２１０と、永久磁石に取り付けられ所定の色が施された反転翼とを有する磁気反転部２２０と、磁気反転部を磁力によって反転させる電磁石部１００と、を備え、磁気反転部は複数設けられ、複数の磁気反転部の各反転翼は、それぞれ表示色に対応する色が施され、複数の磁気反転部の各永久磁石は、反転翼に対して回動軸方向でそれぞれ異なる位置に取り付けられ、複数の磁気反転部は、各反転翼が積層され、かつ各永久磁石が回動軸方向に沿って並ぶように配置される。【選択図】図４
2018155785.tif 000002
【特許請求の範囲】
【請求項１】
回動可能に支持される永久磁石と、前記永久磁石に取り付けられ所定の色が施された反転翼とを有する磁気反転部と、
前記磁気反転部を磁力によって反転させる電磁石部と、を備え、
前記磁気反転部は複数設けられ、
前記複数の磁気反転部の各反転翼は、それぞれ表示色に対応する色が施され、
前記複数の磁気反転部の各永久磁石は、前記反転翼に対して回動軸方向でそれぞれ異なる位置に取り付けられ、
前記複数の磁気反転部は、前記各反転翼が積層され、かつ前記各永久磁石が回動軸方向に沿って並ぶように配置される
ことを特徴とする磁気反転ユニット。
【請求項２】
前記積層された反転翼の中で所望の表示色までの１以上の反転翼に対応する磁気反転部を、前記電磁石部によって連続的に反転させることで、所望の表示色を表示させる
ことを特徴とする請求項１に記載の磁気反転ユニット。
【請求項３】
前記電磁石部は、前記複数の磁気反転部それぞれに１つずつ備えられる
ことを特徴とする請求項１に記載の磁気反転ユニット。
【請求項４】
前記電磁石部として、前記複数の磁気反転部をまとめて駆動する１の電磁石部が備えられ、
前記各永久磁石は、前記反転前の位置である閉位置に各反転翼が積層された状態で、下に積層された永久磁石ほど磁力が順に大きくなるように、それぞれの磁力が設定される
ことを特徴とする請求項１に記載の磁気反転ユニット。
【請求項５】
前記各永久磁石の回動中心は、共通であり同一軸上に配置される
ことを特徴とする請求項１に記載の磁気反転ユニット。
【請求項６】
前記複数の磁気反転部は、前記反転翼と前記永久磁石を接続するためのアームをそれぞれ備え、
前記複数の磁気反転部の各アームは、前記反転翼に対してそれぞれ異なる角度で取り付けられる
ことを特徴とする請求項１に記載の磁気反転ユニット。
【請求項７】
請求項１乃至請求項６のいずれか一項に記載の磁気反転ユニットの複数を、マトリクス状に配置した
ことを特徴とする表示装置。
【発明の詳細な説明】
【技術分野】
【０００１】
本発明は、電磁石によって反転翼を反転させて表示を行う磁気反転ユニットに関する。
【背景技術】
【０００２】
磁気反転ユニットは、永久磁石と動線を巻いた鉄芯（コイル）を組み合わせ、電磁石の原理を利用して反転翼を開閉するものである。反転翼は表側と裏側で色が異なり、電磁石によって反転翼が反転することで色が変化する。表示装置は、この磁気反転ユニットを多数配列し、文字や数字の表現を行うもので、スコアボードや掲示板等に利用される。屋内外競技場などに設置されるスコアボードは、各磁気反転ユニットでドット表示することによりチーム名や点数などを表示することができる。さらに、磁気反転ユニットから構成される表示装置は、ＬＣＤ等の表示装置に比べて低消費電力で運用することが可能なため、大型表示装置の分野で近年再評価されている。また、表示色数も３色以上の要請も強いため、多色表示できる磁気反転ユニットも提案されている（特許文献１）。
【先行技術文献】
【特許文献】
【０００３】
【特許文献１】特開平５−１４３００５号公報
【発明の概要】
【発明が解決しようとする課題】
【０００４】
通常の磁気反転ユニットは、反転翼が１枚であったため、翼の表と裏の２色表示しかできない。特許文献１で紹介したような、反転翼の代わりに立方体にした回転体により、計４色を表現するものもあるが、立方体の表から裏側へ色を反転させるのに、２度制御が必要で一度に表示を切り替えることができなかった。
【０００５】
本願発明は、上記課題に鑑み、多色表示可能な磁気反転ユニットを提供することを目的とする。
【課題を解決するための手段】
【０００６】
上記目的を達成するために、磁気反転ユニットは、回動可能に支持される永久磁石と、前記永久磁石に取り付けられ所定の色が施された反転翼とを有する磁気反転部と、前記磁気反転部を磁力によって反転させる電磁石部と、を備え、前記磁気反転部は複数設けられ、前記複数の磁気反転部の各反転翼は、それぞれ表示色に対応する色が施され、前記複数の磁気反転部の各永久磁石は、前記反転翼に対して回動軸方向でそれぞれ異なる位置に取り付けられ、前記複数の磁気反転部は、前記各反転翼が積層され、かつ前記各永久磁石が回動軸方向に沿って並ぶように配置される。
【発明の効果】
【０００７】
本発明によれば、多色表示可能な磁気反転ユニットを提供することができる。
【図面の簡単な説明】
【０００８】
【図１】表示装置の外観図である。
【図２】反転翼の開閉原理を説明する図である。
【図３】従来の磁気反転ユニットの構成を示す図である。
【図４】本実施形態の磁気反転ユニットの外観図である。
【図５】本実施形態の磁気反転ユニットの外観図である。
【図６】反転翼の開閉動作の様子を模式的に示す図である。
【図７】磁気反転ユニットの分解図である。
【図８】電磁石部、磁気反転部およびケースの拡大図である。
【図９】電磁石部の構成を示す透視図である。
【図１０】電磁石部の構成を示す透視図である。
【図１１】反転翼に対するアームの角度が、反転翼ごとに異なることを示す図である。
【図１２】反転翼に対するアームの角度が、反転翼ごとに異なることを示す図である。
【図１３】駆動する電磁石部と表示色の関係をまとめた表である。
【図１４】表示装置を駆動する表示システムのブロック図である。
【図１５】単一の電磁石部を備える磁気反転ユニットの外観図である。
【図１６】表示装置と第２の変形例による表示装置を対比して示す図である。
【図１７】第２の変形例における磁気反転ユニットの概要を説明する図である。
【図１８】反転翼の回動によりフィルムが畳まれる様子を示す図である。
【図１９】各反転翼の間にフィルムが挟まれた状態を模式的に示す図である。
【発明を実施するための形態】
【０００９】
以下、図面に従って本発明の実施形態を説明する。図１は、磁気反転ユニット１０がマトリクス状に配列されて構成される表示装置１の外観図である。
【００１０】
図１（Ａ）は、表示装置１全体の正面図である。磁気反転ユニット１０は、磁気反転装置とも呼ばれる。図１（Ｂ）は、表示装置１の一部を拡大した図である。図１（Ｂ）は、縦横５列ずつ分の磁気反転ユニット１０が配列された様子である。磁気反転ユニット１０は、永久磁石と銅線を巻いた鉄芯（コイル）を組み合わせ、電磁石の原理を利用して反転翼を回動させて開閉するものである。
【００１１】
図２は、反転翼の開閉原理を説明する図である。図２（Ａ）は、磁気反転ユニット１０の基本構成を示す図である。磁気反転ユニット１０は、電磁石部１００と磁気反転部２００を有する。電磁石部１００は、コイル１１０と鉄芯１２０を有する。電磁石部１００は、鉄芯１２０にボビン（不図示）を介してコイル１１０が巻回されて構成される。コイル１１０への電圧印加により、鉄芯１２０の上端１２０ａと下端１２０ｂがＳ又はＮの磁極となる。
【００１２】
磁気反転部２００は、永久磁石２１０と反転翼２２０を有する。反転翼２２０は、永久磁石２１０の回動軸２１０aを中心とする略法線方向上に設けられる。また、反転翼２２０は第１面２２１と第２面２２２で、色が異なる。反転翼２２０の位置（開位置、閉位置）によって、磁気反転ユニット１０の表示色を変えるためである。
【００１３】
永久磁石２１０は、電磁石部１００に対して、不図示の回動支持機構により、回動可能に設けられる。また、永久磁石２１０は、所定の角度位置がＳ極・Ｎ極になるよう予め着磁される。なお、図２（Ａ）の反転翼２２０の位置を閉位置とも呼ぶ。図２（Ｄ）の反転翼２２０の位置を開位置とも呼ぶ。また、永久磁石２１０は、閉位置で、Ｎ極２１０Ｎが鉄芯１２０の上端１２０ａに近い位置になり、Ｓ極２１０Ｓが鉄芯１２０の上端１２０ａから遠い位置となるような角度に取り付けられる。
【００１４】
図２（Ｂ）から図２（Ｄ）は、電磁石部１００が永久磁石２１０を回動させて、反転翼２２０が閉位置から開位置に変化する様子を示す図である。
【００１５】
図２（Ｂ）は、反転翼２２０が閉位置にある状態で、コイル１１０に所定電圧（感動電圧）の印加が開始された状態である。反転翼２２０が閉位置では、第１面２２１が表示面となる。
【００１６】
鉄芯１２０から、点線で示す磁界が発生する。鉄芯１２０の上端１２０ａがＮ極、鉄芯１２０の下端１２０ｂがＳ極になるように、コイル１１０に電圧が印加される。鉄芯１２０からの磁界により、永久磁石２１０のＮ極２１０Ｎに反発力（Ｐ方向）が発生して、永久磁石２１０はＱ方向に回動される。
【００１７】
図２（Ｃ）は、永久磁石２１０が回動中（Ｑ方向）の状態である。図２（Ｄ）は、反転翼２２０が開位置まで回動した状態である。鉄芯１２０の上端１２０ａがＮ極であるので、永久磁石２１０のＳ極２１０Ｓに吸引力（Ｐ方向）が発生し、永久磁石２１０は、反転翼２２０が開位置になるまで回動する。なお、反転翼２２０が不図示の停止部材に突き当たることで、永久磁石２１０のＱ方向への回動が停止する。
【００１８】
反転翼２２０が開位置では、反転翼２２０の第２面２２２が表示面となる。なお、鉄芯１２０を所定の残留磁化が生じるような材質で構成することでコイル１１０への電圧印加を停止しても、反転翼２２０は開位置に保持される。
【００１９】
そして、図２（Ｄ）の状態で、コイル１１０に逆の電圧を印加すると、鉄心１２０のＮ極とＳ極が反転して、反転翼２２０が開位置から、図２（Ｂ）の閉位置まで移動する。
【００２０】
後述するように、本実施形態の磁気反転ユニット１０は、電磁石部と磁気反転部を１組とし、複数組から構成される。１組の電磁石部と磁気反転部を磁気反転セル２０と呼ぶ。磁気反転ユニット１０は、８組の磁気反転セル２０（磁気反転セル２０−１〜磁気反転セル２０−８）から構成される。図２は、1つの磁気反転セル２０を示す。
【００２１】
本実施形態の説明の前に、対比のために、従来の磁気反転ユニット１０００の構成を簡単に説明する。図３は、従来の磁気反転ユニット１０００の構成を示す図である。図３（Ａ）は、従来の磁気反転ユニット１０００の外観図で、図３（Ｂ）はその透視図である。なお、図３は、反転翼が回動途中の状態を示す。
【００２２】
磁気反転ユニット１０００は、電磁石部１１００、磁気反転部１２００及びケース１３００を有する。図２と同様に、電磁石部１１００は、コイル１１１０及び鉄芯１１２０を有する。また、磁気反転部１２００は、永久磁石１２１０及び反転翼１２２０を有する。ケース１３００は、電磁石部１１００及び磁気反転部１２００を収納保持する。
【００２３】
ケース１３００の上面には、向かって右側に１色目表示面１３０１、左側に２色目表示面１３０２がそれぞれ設けられる。１色目表示面１３０１は、反転翼１２２０の第１面１２２１と同色である。２色目表示面１３０２は、反転翼１２２０の第２面１２２２と同色である。反転翼１２２０が閉位置にある場合に、磁気反転ユニット１０００は１色目を表示し、反転翼１２２０が開位置にある場合に、磁気反転ユニット１０００は２色目を表示する。
【００２４】
以上、図３に示すように、従来の磁気反転ユニット１０００は、磁気反転部１２００を１個のみ備え、２色（１色目及び２色目）の切換え表示が可能であった。
【００２５】
図４は、本実施形態の磁気反転ユニット１０の構成を示す図である。図４（Ａ）は、磁気反転ユニット１０の外観図で、図４（Ｂ）はその透視図である。なお、図４は、説明のため、全ての反転翼２２０−１〜反転翼２２０−８を、移動途中の状態で並べて表示したものであって、実際の開閉状態を示す図ではない。ＸＹＺの座標は、以降の図面における、図面間での方向の相違を示す基準である。なお、以下では、反転翼２２０の枚数を８枚の例で説明するが、これに限るものではない。ケース３００の上面には、向かって右側に１色目表示面３０６、左側に９色目表示面３０８がそれぞれ設けられる。
【００２６】
図５は、反転翼２２０−１が、閉位置と開位置に回動される途中の状態を示す図である。反転翼２２０−１は、閉位置で一番上に位置する反転翼である。図５（Ａ）は外観図で、図５（Ｂ）はその透視図である。図４及び図５を参照しながら説明する。
【００２７】
磁気反転ユニット１０は、ケース３００と、前述した８種類の磁気反転セル２０（磁気反転セル２０−１〜磁気反転セル２０−８）を有する。ケース３００は、８種類の磁気反転セル２０を保持する。
【００２８】
各磁気反転セル２０は、電磁石部１００及び磁気反転部２００をそれぞれ有する。磁気反転セル２０−１の電磁石部１００及び磁気反転部２００を、それぞれ電磁石部１００−１及び磁気反転部２００−１と表記する。電磁石部１００−１は、コイル１１０−１及び鉄芯１２０−１を有する。また、磁気反転部２００−１は、永久磁石２１０−１及び反転翼２２０−１を有する。そして、磁気反転セル２０−２以下も、同様とする。なお、以下で各磁気反転セル２０の電磁石部等を区別しない場合には、まとめて電磁石部１００、磁気反転部２００、永久磁石２１０、反転翼２２０と表記する。
【００２９】
各磁気反転部２００の反転翼２２０は、それぞれ表示色に対応する色が施される。また、各永久磁石２１０は、反転翼２２０に対して回動軸２１０ａ方向でそれぞれ異なる位置に取り付けられる（図５（Ａ）、後述する図７参照）。また、反転翼２２０は、閉位置や開位置で積層されて配置され、永久磁石２１０は回動軸２１０ａ方向に沿って並ぶように配置される（図４（Ａ）、（Ｂ）参照）。一番奥に永久磁石２１０−１が配置され、一番手前に永久磁石２１０−８が配置される（図５（Ａ）参照）。
【００３０】
また、各永久磁石２１０は、略同一直径で、かつ同一幅（回動軸に沿った方向の長さ）である。また、反転翼２２０の回動軸方向の長さＬとして、隣接する永久磁石２１０間のピッチは、およそＬ／８に形成される。各永久磁石２１０は、回動軸２１０ａを共通として、回動軸２１０ａに沿って、一列に配置される。つまり、各永久磁石２１０が配列された状態で、永久磁石２１０の全幅が、反転翼２２０の回動軸方向の長さＬとおおよそ一致することになる（図５（Ｂ）参照）。
【００３１】
また、各反転翼２２０は、長方形の薄板で、縦・横・厚さとも略同一のサイズである（図４（Ａ）参照）。反転翼２２０は、ケース３００に積層して保持される。
【００３２】
電磁石部１００（電磁石部１００−１〜電磁石部１００−８）は、ケース３００から下方向に突き出るように配置される。一番奥に電磁石部１００−１が配置され、一番手前に電磁石部１００−８が配置される（図４（Ａ）（Ｂ）参照）。
【００３３】
図６は、反転翼２２０の開閉動作の様子を模式的に示す図である。図６（Ａ）は、各反転翼２２０が、全て閉位置にある状態である。１番上が反転翼２２０−１で、２番上が反転翼２２０−２で、一番下が反転翼２２０−８である。３番から７番までの反転翼２２０の表示は省略する。図６（Ａ）の状態では、反転翼２２０−１の第１面２２１−１が左側の表示面となり、ケース３００の１色目表示面３０６が右側の表示面となる。第１面２２１−１と第１着色部３０６は、同一色である。
【００３４】
図６（Ｂ）は、電磁石部１００−１への電圧印加により、反転翼２２０−１が、Ｑ方向に回動されて、開位置になった状態である。この状態では、反転翼２２０−２の第１面２２１−２が左側の表示面となり、反転翼２２０−１の第２面２２２−１が右側の表示面となる。
【００３５】
図６（Ｃ）は、電磁石部１００−２〜電磁石部１００−８への電圧印加により、反転翼２２０−２〜反転翼２２０−８が、Ｑ方向に回動されて、開位置になった状態である。この状態では、ケース３００の９色目表示面３０８が左側の表示面となり、反転翼２２０−８の第２面２２２−８が右側の表示面となる。９色目表示面３０８と第２面２２２−８は、同一色である。
【００３６】
以上のように、８枚の反転翼２２０を、指定された色に応じて開閉させることにより、計９色の表示が可能になる。
【００３７】
図７は、磁気反転ユニット１０の分解図である。図７では、電磁石部１００と磁気反転部２００を分離した状態でしめす。磁気反転部２００は、さらに磁気反転部２００−１〜磁気反転部２００−８に分解して並べて示す。
【００３８】
反転翼２２０における第１面２２１と第２面２２２の色の組み合わせ例を示す。反転翼２２０−１の第１面２２１−１は黄、第２面２２２−１は白である。反転翼２２０−２の第１面２２１−２は白、第２面２２２−２は赤紫である。反転翼２２０−３の第１面２２１−３は赤紫、第２面２２２−３は黄橙である。反転翼２２０−４の第１面２２１−４は黄橙、第２面２２２−４は紫である。反転翼２２０−５の第１面２２１−５は紫、第２面２２２−５は緑である。反転翼２２０−６の第１面２２１−６は緑、第２面２２２−６は青である。反転翼２２０−７の第１面２２１−７は青、第２面２２２−７は赤である。反転翼２２０−８の第１面２２１−８は赤、第２面２２２−８は黒である。なお、ケース３００の１色目表示面３０６は黄、ケース３００の９色目表示面３０８は黒とする。なお、前述のように、各永久磁石２１０は、反転翼２２０に対して回動軸方向でそれぞれ異なる位置に取り付けられる。
【００３９】
また、電磁石部１００は、電磁石部１００−１から電磁石部１００−８の８個がユニット化された構成として示す。なお、各永久磁石２１０は磁束密度が略同一とし、各電磁石部１００の電磁特性（鉄心やコイルの巻き数等）も略同一とする。
【００４０】
図８は、電磁石部１００、磁気反転部２００およびケース３００の拡大図である。ケース３００の側面には、永久磁石２１０を回動自在に支持するために、一対の軸受け３０３及び軸受け３０４が設けられる（図８（Ａ）参照）。また、ケース３００の底面には、コイル１１０を支持する支持口３０５も設けられる（図８（Ａ）参照）。図８（Ｂ）は、図７で示した電磁石部１００の拡大図である。
【００４１】
図８（Ｃ）は、磁気反転部２００の拡大図である。磁気反転部２００−６、磁気反転部２００−７、磁気反転部２００−８を代表例として示す。永久磁石２１０と反転翼２２０は、アームで接続される。なお、アームは縁部とも呼ぶ。
【００４２】
まず、永久磁石２１０−８がケース３００の端部側に配置される磁気反転部２００−８では、反転翼２２０−８の両側端部に、アーム２２５−８とアーム２２６−８が設けられる。アーム２２５−８が永久磁石２１０−８に接続される。アーム２２５−８には、短軸のピン２２５ａが外側に向けて設けられる。ピン２２５ａはケース３００の軸受け３０３に嵌合される。また、アーム２２６−８にも、短軸のピン２２６ｂが外側に向けて設けられる。ピン２２６ｂはケース３００の軸受け３０４に嵌合される。これにより、磁気反転部２００−８は、ケース３００に回動自在に支持される。また、永久磁石２１０−８の内側には軸受け２２７が設けられる。
【００４３】
次に、磁気反転部２００−７において、反転翼２２０−７にはアーム２２５−７及びアーム２２６−７が設けられる。アーム２２５−７及びアーム２２６−７は、永久磁石２１０−７の両側面を挟持するよう永久磁石２１０−７に接続される。
【００４４】
そして、アーム２２５−７には、短軸のピン２２５ａが設けられる。磁気反転部２００−７のピン２２５ａは、永久磁石２１０−８の軸受け２２７に嵌合される。また、磁気反転部２００−７のアーム２２６−７には、軸受け２２６ａが設けられる。そして、磁気反転部２００−７の軸受け２２６ａには、隣接する永久磁石２１０−６のピン２２５ａが嵌合される。このように、磁気反転部２００−７は、両隣の磁気反転部２００−８と磁気反転部２００−６により、回動自在に支持されることになる。磁気反転部２００−６も同様である。以上により、各磁気反転部２００が、ケース３００にそれぞれ独立して回動自在に支持される。なお、隣接する各永久磁石２１０の間に、適当なスペーサを配置するようにしてもよい。スペーサは、磁気シールド効果のある材質を利用してもよい。
【００４５】
図９は、電磁石部１００の構成を示す透視図である。図９（Ａ）は、図５（Ｂ）と同等な方向から見た斜視図である。図９（Ｂ）は、図９（Ａ）の磁気反転ユニット１０を、Ｍ方向から見た図である。前述したように、各磁気反転部２００の永久磁石２１０にそれぞれ対応する電磁石部１００が、１つずつ設けられる。図１０は、電磁石部１００の構成を示す透視図である。磁気反転ユニット１０をケース３００の底部方向から見た図である。
【００４６】
そして、図９等で示す電磁石部１００の構成によれば、回転させたい反転翼２１０に連動したコイル１１０に電圧を掛けることで、任意の色を表示させることができる。また、４番目の反転翼２２０−４を回転させるには、コイル１１０−４と、反転翼２２０−４の上に積層されている反転翼２２０全てのコイル１１０に、電圧を掛けて回転させることになる。また、反転翼２２０−４が、閉位置にあるか開位置にあるかによって、コイル１１０に印加する電圧のプラス／マイナスが逆になる。
【００４７】
図１１及び図１２は、反転翼２２０に対するアーム２２５及びアーム２２６の角度が、各反転翼２２０ごとに異なることを示す図である。反転翼２２０が積層配置された状態では、反転翼２２０の高さ位置はそれぞれ異なる。一方、各永久磁石２１０は同軸上に配置される。このため、反転翼２２０に対するアーム２２５及びアーム２２６の角度は、反転翼２２０ごとに異なった傾斜に設定されなければならない。
【００４８】
図１１（Ａ）は、磁気反転ユニット１０全体の外観図である。図１１（Ａ）は、全ての反転翼２２０が閉位置にある状態である。図１１（Ｂ）は、図１１（Ａ）のＫ部を拡大した図である。そして、図１１（Ｃ）は、図１１（Ｂ）をＲ方向から見た図である。図１１（Ｃ）で、最下層の反転翼２２０−８とそのアーム２２５−８がなす角度（傾斜角とも称す）θを示す。各磁気反転部２００の回動軸が共通なので、下の層となる反転翼２２０のアーム２２５ほど、θが大きな角度になる。
【００４９】
図１２は、各反転翼２２０のアーム２２５の角度θを模式的に示した図である。代表して、反転翼２２０−１（最上層）のアーム２２５−１、反転翼２２０−４のアーム２２５−４、反転翼２２０−８（最下層）のアーム２２５−８を示す。前述の通り下の層になるに従って、反転翼２２０とアーム２２５の角度θが大きくなる。
【００５０】
図１３は、駆動する電磁石部１００と表示色の関係をまとめた表である。表示色は、図７（Ａ）での例に従う。なお、各反転翼２２０は全て閉位置状態とする。
【００５１】
いずれの電磁石部１００へも駆動しない（ＯＦＦ）場合には、黄が表示される。例えば、電磁石部１００−１のみを駆動する（ＯＮ）と白の表示となる。また、電磁石部１００−１及び電磁石部１００−２を駆動すると赤紫の表示となる。そして、全ての電磁石部１００を駆動すると、黒の表示となる。
【００５２】
次に、表示装置１を駆動する表示システム５００を説明する。図１４は、表示システム５００のブロック図の例である。表示システム５００は、ＰＣ（Personal Computer）５１０、表示コントローラ５２０、表示ドライバ５３０を有するとする。
【００５３】
ＰＣ（Personal Computer）５１０は、指示された文字・数字あるいは画像等のデータを表示用データに変換して表示コントローラ５２０に出力する。例えば、ＰＣ５１０は、文字・数字あるいは画像等のデータを９色のカラーデータに色変換し、更に表示装置１の表示ピクセル数に応じてビットマップデータ化して、表示コントローラ５２０に出力する。
【００５４】
表示コントローラ５２０は、表示用データを対応する各磁気反転ユニット１０に割り当てて、各磁気反転ユニット１０を駆動する表示ドライバ５３０に、色を指示する色データを出力する。表示ドライバ５３０は、各磁気反転ユニット１０にそれぞれ設けられ、電磁石部１００を駆動するものである。表示ドライバ５３０は、表示コントローラ５２０から出力された色データに応じて、コイル１１０−１〜コイル１１０−８に電圧を印加して、各電磁石部１００を選択的に駆動する。
【００５５】
駆動される電磁石部１００と表示色の関係は、例えば、前述した図１３の表のようである。各磁気反転ユニット１０で、駆動される電磁石部１００に応じて、所定の反転翼２２０が開閉され、所定の色が表示される。各磁気反転ユニット１０で表示される色が組み合わさって、文字・数字あるいは画像が表示装置１に再現される。
【００５６】
以上の本実施形態によれば、多色表示の磁気反転部２００及び多色表示の磁気反転部２００を配列した表示装置を提供することができる。なお、前述のように、色数は８色に限定されるものではなく、７色以下あるいは９色以上であってもよい。なお、反転翼２２０の枚数は、磁気反転ユニット１０の外形寸法と永久磁石２１０、鉄芯１２０、コイル１１０の寸法に依存する。
【００５７】
<第１変形例>
次に、変形例を説明する。第１の変形例は、各磁気反転部２００ごとに別々であった電磁石部１００を、単一の電磁石部にしたものである。図１５は、単一の電磁石部１００を備える磁気反転ユニット１２の外観図である。第１の変形例の磁気反転ユニット１２では、磁気反転部２００の並びに沿った横長形状の電磁石部１５０が設けられる。電磁石部１５０は、全ての磁気反転部２００に磁力を与える。
【００５８】
各永久磁石２１０は、磁束密度がそれぞれ異なっている。例えば、永久磁石２１０―１から順に永久磁石２１０―８まで、磁束密度が段階的に大きくなるようにする。つまり、永久磁石２１０―１の磁束密度が最小で、永久磁石２１０―８の磁束密度が最大となるようにする。
【００５９】
これにより、電磁石部１５０のコイルに印加される電圧に応じて、開閉される磁気反転部２００が異なる。例えば、電磁石部１５０のコイルに永久磁石２１０―４を回動させるに必要な感動電圧を印加されると、永久磁石２１０―１〜永久磁石２１０―４までが回動し、反転翼２２０−１〜反転翼２２０−４が回動して開位置に移動する。永久磁石２１０―５〜永久磁石２１０―８は、閉位置のままである。
【００６０】
本図の磁気反転ユニット１２は、８個の永久磁石２１０で構成されているので、電磁石部１５０に印加する感動電圧を８段階で制御することで、８種類の反転翼２２０の制御が可能となる。
【００６１】
<第２変形例>
第２の変形例は、表示に寄与しない永久磁石の部分をカバーして、表示色の領域を増やした例である。図１６は、上述した表示装置１と第２の変形例による表示装置２を対比して示す図である。各磁気反転ユニット１０の幅方向における中央部が永久磁石２１０で占められてしまうので、上述した表示装置１では、各磁気反転ユニット１０の中央部が非表示（表示に寄与しない）領域となってしまう。つまり、表示装置１は、各磁気反転ユニット１０の中央に縦線が入ったような状態となって、全体として見栄えが悪くなる。
【００６２】
そこで、第２の変形例の表示装置２では、隣り合う反転翼２２０にまたがるようにカラーのフィルム６１０を貼付し、永久磁石２１０を覆うようにした。これにより、中央の非表示領域がほとんどなくなるので、見栄えが格段に向上する。
【００６３】
図１７は、第２の変形例の磁気反転ユニット６００の概要を説明する図である。図１７（Ａ）は、磁気反転ユニット６００の外観図で、図１７（Ｂ）は透視図である。反転翼２２０−１と反転翼２２０−２の内側の辺同士をつなぎ、かつ永久磁石２１０全体を半円状に覆うようにフィルム６１０が設けられる。フィルム６１０は、反転翼２２０−１の第２面２２２−１及び反転翼２２０−２の第１面２２１−２と同色である。図７の表示色例では、フィルム６１０は、白色となる。また、反転翼２２０−１と反転翼２２０−２が、互いが閉位置あるいは開位置になった状態では、フィルム６１０は畳まれ、反転翼２２０同士が重なる。
【００６４】
図１８は、反転翼２２０の回動によりフィルム６１０が畳まれる様子を順に示す図である。一番上は、反転翼２２０−１が開位置にあり、反転翼２２０−２が閉位置にある状態である。２番目は、反転翼２２０−２が開位置に移動する途中の状態である。３番目は、反転翼２２０−２が開位置に移動した状態である。フィルム６１０が反転翼２２０−１と反転翼２２０−２の間に畳まれる。
【００６５】
図１９は、各反転翼２２０の間にフィルム６１０が挟まれた状態を模式的に示す図である。反転翼２２０−５及び反転翼２２０−６の記載は省略する。各反転翼２２０の間に設けられるフィルム６１０は、対応する各反転翼２２０の色と同色である。以上説明した第２の変形例によれば、中央に非表示領域を含まない磁気反転ユニット６００を提供することができる。
【００６６】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００６７】
１、２  表示装置
１０、６００、１０００  磁気反転ユニット
２０      セル
１００、１５０  電磁石部
１１０      コイル
１２０      鉄芯
２００    磁気反転部
２１０      永久磁石
２１０Ｓ      Ｓ極
２１０Ｎ      Ｎ極
２２０      反転翼
２２１        第１面
２２２        第２面
２２５、２２６    アーム
３００    ケース
３０２      収納部
３０３、３０４    軸受け
３０６、３０８    表示部
６１０    フィルム
【図１】
2018155785.tif 000003
【図２】
2018155785.tif 000004
【図３】
2018155785.tif 000005
【図４】
2018155785.tif 000006
【図５】
2018155785.tif 000007
【図６】
2018155785.tif 000008
【図７】
2018155785.tif 000009
【図８】
2018155785.tif 000010
【図９】
2018155785.tif 000011
【図１０】
2018155785.tif 000012
【図１１】
2018155785.tif 000013
【図１２】
2018155785.tif 000014
【図１３】
2018155785.tif 000015
【図１４】
2018155785.tif 000016
【図１５】
2018155785.tif 000017
【図１６】
2018155785.tif 000018
【図１７】
2018155785.tif 000019
【図１８】
2018155785.tif 000020
【図１９】
2018155785.tif 000021